(57)【要約】【課題】画像形成装置等の表示部にウェブページが表示されているときに、ユーザに面倒な操作を要求することなく、当該表示部に逐次表示される各ウェブページのページ画面データに対して行う各処理の指示を入力可能とする。【解決手段】表示部と、ウェブブラウザ機能部５２２１とを備え、ウェブブラウザ機能部５２２１は、案内指示受付画像を表示させる案内指示受付画像表示制御部５２２４と、案内指示受付画像に基づく操作で案内指示を受け付ける案内指示受付部５２２５と、案内指示が受け付けられたときに、表示中のウェブページのページ画面データについて所定複数処理のいずれの処理を行うかを受け付けるための処理受付画像を表示させる処理受付画像表示制御部５２２６と、処理受付画像に基づく操作でページ画面データについて上記複数処理のうちいずれを行うかの選択を受け付ける処理受付部５２２７とを備える。【選択図】図３
2010128994.tif 000002
【特許請求の範囲】
【請求項１】
画像を表示する表示部と、
前記表示部にウェブページを表示させるウェブブラウザ機能部とを備え、
前記ウェブブラウザ機能部は、前記表示部に表示されているウェブページのページ画面データに対して実行可能な予め定められた複数処理を案内する処理受付画像を表示させる案内指示をタッチパネル機能によりユーザから受け付けるための案内指示受付画像を前記表示部に表示させる案内指示受付画像表示制御部と、ユーザによる当該案内指示受付画像に基づく操作により前記案内指示を受け付ける案内指示受付部と、当該案内指示受付部に前記案内指示が受け付けられたときに、前記処理受付画像を前記表示部に表示させる処理受付画像表示制御部と、ユーザによる当該処理受付画像に基づく操作により前記ページ画面データについて前記複数処理のうちいずれの処理を行うかの選択を受け付ける処理受付部とを備える表示制御装置。
【請求項２】
前記処理受付画像表示制御部が表示させる処理受付画像は、前記予め定められた複数処理として、前記ページ画面データについてのプリント、データ保存又はデータ送信のいずれの処理を行うかをタッチパネル機能によりユーザから受け付けるための画像とされ、
前記処理受付部は、前記ページ画面データについてのプリント、データ保存又はデータ送信のいずれの処理を行うかの指示を受け付ける請求項１に記載の表示制御装置。
【請求項３】
プリント対象データに基づいて記録媒体に画像を記録する記録部と、
前記記録部の動作制御を司る制御部と、
請求項２に記載の表示制御装置とを備え、
前記処理受付部に前記ページ画面データについてプリント処理を行う旨の指示が受け付けられた場合に、前記ウェブブラウザ機能部が前記表示部にウェブページを表示させるために一時的に記憶させている当該ウェブページのページ画面データに基づいた記録を前記制御部が前記記録部に行わせる画像形成装置。
【請求項４】
データを記憶する記憶部と、
前記記憶部の動作制御を司る制御部と、
請求項２に記載の表示制御装置とを備え、
前記処理受付部に前記ページ画面データについてプリント処理を行う旨の指示が受け付けられた場合に、前記ウェブブラウザ機能部が前記表示部にウェブページを表示させるために一時的に記憶させている当該ウェブページのページ画面データを、前記制御部が前記記憶部に記憶させる画像形成装置。
【請求項５】
ユーザによって指定された送信先にデータを送信するデータ送信部と、
前記データ送信部の動作制御を司る制御部と、
請求項２に記載の表示制御装置とを備え、
前記処理受付部に前記ページ画面データについてプリント処理を行う旨の指示が受け付けられた場合に、前記ウェブブラウザ機能部が前記表示部にウェブページを表示させるために一時的に記憶させている当該ウェブページのページ画面データを、前記制御部が、前記データ送信部に、前記指定された送信先に送信させる画像形成装置。
【請求項６】
表示制御装置に内蔵されるコンピュータを、
前記表示制御装置の表示部にウェブページを表示させるウェブブラウザ機能部として機能させ、
さらに、前記ウェブブラウザ機能部を、前記表示部に表示されているウェブページのページ画面データに対して実行可能な予め定められた複数処理を案内する処理受付画像を表示させる案内指示をタッチパネル機能によりユーザから受け付けるための案内指示受付画像を前記表示部に表示させる案内指示受付画像表示制御部と、ユーザによる当該案内指示受付画像に基づく操作により前記案内指示を受け付ける案内指示受付部と、当該案内指示受付部に前記案内指示が受け付けられたときに、前記処理受付画像を前記表示部に表示させる処理受付画像表示制御部と、ユーザによる当該処理受付画像に基づく操作により前記ページ画面データについて前記複数処理のうちいずれの処理を行うかの選択を受け付ける処理受付部として機能させる表示制御プログラム。
【発明の詳細な説明】
【技術分野】
【０００１】
本発明は、表示制御装置、画像形成装置、及び表示制御プログラムに関し、特に、ウェブページを表示部に表示する際の技術に関する。
【背景技術】
【０００２】
従来から、コピー機や、複合機（コピー機能、プリンタ機能、ファクシミリ機能、スキャナ機能を兼ね備えた機器）等の画像形成装置には、ユーザに対して操作案内等を表示するために、ＬＣＤ（Liquid Crystal Display）等からなる表示部が設けられている。また、下記特許文献１に示されるように、ユーザ端末の表示部に表示されたウェブページ内のサービス券ダウンロードボタンがユーザにより操作されると、ネットワーク接続されている配布文書データベースにアクセスして、当該データベースから当該サービス券配信用の電子文書ファイルをユーザ端末にダウンロードするサービス券発行システムが提案されている。
【特許文献１】特開２００１−１４２９４８号公報
【発明の開示】
【発明が解決しようとする課題】
【０００３】
しかし、上記特許文献１に示されたサービス券発行システムの場合、サービス券ダウンロードボタンの操作により指示できるのは、当該サービス券ダウンロードボタンに対応付けられている特定の配布文書データベースからのサービス券配信用の電子文書ファイルのダウンロード処理のみである。すなわち、当該サービス券発行システムでは、異なるデータ配信元からサービス券配信用の電子文書ファイル以外のデータをダウンロードすることはできず、また、ダウンロードした電子文書ファイルに対して各種処理を行う場合には、ユーザはそれぞれの処理を実行させる指示を入力するための操作を把握しておく必要がある。
【０００４】
本発明は、上記の問題を解決するためになされたもので、画像形成装置等の表示部にウェブページが表示されているときに、ユーザに面倒な操作を要求することなく、当該表示部に逐次表示される各ウェブページのページ画面データに対して行う各処理の指示を入力可能とすることを目的とする。
【課題を解決するための手段】
【０００５】
本発明の請求項１に記載の発明は、画像を表示する表示部と、
前記表示部にウェブページを表示させるウェブブラウザ機能部とを備え、
前記ウェブブラウザ機能部は、前記表示部に表示されているウェブページのページ画面データに対して実行可能な予め定められた複数処理を案内する処理受付画像を表示させる案内指示をタッチパネル機能によりユーザから受け付けるための案内指示受付画像を前記表示部に表示させる案内指示受付画像表示制御部と、ユーザによる当該案内指示受付画像に基づく操作により前記案内指示を受け付ける案内指示受付部と、当該案内指示受付部に前記案内指示が受け付けられたときに、前記処理受付画像を前記表示部に表示させる処理受付画像表示制御部と、ユーザによる当該処理受付画像に基づく操作により前記ページ画面データについて前記複数処理のうちいずれの処理を行うかの選択を受け付ける処理受付部とを備える表示制御装置である。
【０００６】
また、請求項６に記載の発明は、表示制御装置に内蔵されるコンピュータを、
前記表示制御装置の表示部にウェブページを表示させるウェブブラウザ機能部として機能させ、
さらに、前記ウェブブラウザ機能部を、前記表示部に表示されているウェブページのページ画面データに対して実行可能な予め定められた複数処理を案内する処理受付画像を表示させる案内指示をタッチパネル機能によりユーザから受け付けるための案内指示受付画像を前記表示部に表示させる案内指示受付画像表示制御部と、ユーザによる当該案内指示受付画像に基づく操作により前記案内指示を受け付ける案内指示受付部と、当該案内指示受付部に前記案内指示が受け付けられたときに、前記処理受付画像を前記表示部に表示させる処理受付画像表示制御部と、ユーザによる当該処理受付画像に基づく操作により前記ページ画面データについて前記複数処理のうちいずれの処理を行うかの選択を受け付ける処理受付部として機能させる表示制御プログラムである。
【０００７】
これらの発明では、ウェブブラウザ機能部が表示部にウェブページを表示させているとき、案内指示受付画像表示制御部によって表示されている案内指示受付画像に基づくユーザの操作で案内指示受付部に、上記案内指示が受け付けられると、処理受付画像表示制御部が上記処理受付画像を表示させ、当該処理受付画像に基づくユーザの操作により、表示部に表示されているウェブページのページ画面データについて、予め定められた複数処理のうちいずれの処理を行うかの指示が処理受付部に受け付けられるので、ユーザは、ウェブページの表示時、当該表示されているウェブページのページ画面データについて上記複数処理のうちいずれかを行うにあたり、各処理別にそれぞれの指示入力用の画面を選択して呼び出す等の煩雑な操作を行う必要がない。
【０００８】
また、本発明は、ユーザから指定される毎に次々に表示部に表示される各ウェブページのページ画面データについて上記複数処理のいずれを行うかの指示を、処理受付画像に基づくユーザの操作に応じて処理受付部が受け付けることになるので、異なるウェブページについての各ページ画面データに対して上記複数処理のいずれを行うかの指示を、ユーザは簡単な操作で入力することが可能である。
【０００９】
また、請求項２に記載の発明は、請求項１に記載の表示制御装置であって、前記処理受付画像表示制御部が表示させる処理受付画像は、前記予め定められた複数処理として、前記ページ画面データについてのプリント、データ保存又はデータ送信のいずれの処理を行うかをタッチパネル機能によりユーザから受け付けるための画像とされ、
前記処理受付部は、前記ページ画面データについてのプリント、データ保存又はデータ送信のいずれの処理を行うかの指示を受け付けるものである。
【００１０】
この発明では、上記案内指示受付画像に基づくユーザの操作で案内指示受付部に上記案内指示が受け付けられると、処理受付画像表示制御部が、上記ページ画面データについてプリント、データ保存又はデータ送信のいずれの処理を行うかの指示を受け付けるための処理受付画像を表示させ、当該処理受付画像に基づくユーザの操作により、上記ページ画面データについてプリント、データ保存又はデータ送信のいずれの処理を行うかの指示が処理受付部に受け付けられるので、ユーザは、上記ページ画面データについてプリント、データ保存又はデータ送信のいずれの処理を行うかの指示を入力するために、各処理別の指示を入力するための画面を呼び出す等の煩雑な操作を行う必要がない。
【００１１】
また、請求項３に記載の発明は、プリント対象データに基づいて記録媒体に画像を記録する記録部と、
前記記録部の動作制御を司る制御部と、
請求項２に記載の表示制御装置とを備え、
前記処理受付部に前記ページ画面データについてプリント処理を行う旨の指示が受け付けられた場合に、前記ウェブブラウザ機能部が前記表示部にウェブページを表示させるために一時的に記憶させている当該ウェブページのページ画面データに基づいた記録を前記制御部が前記記録部に行わせる画像形成装置である。
【００１２】
この発明によれば、ページ画面データについてプリント処理を行う旨の指示が処理受付部に受け付けられると、制御部が、上記ページ画面データに基づいた記録を、画像形成装置に設けられている記録部に行わせるので、ユーザは、簡単な操作で、表示中のウェブページのページ画面データについてのプリント処理を、画像形成装置に実行させることができる。
【００１３】
また、請求項４に記載の発明は、データを記憶する記憶部と、
前記記憶部の動作制御を司る制御部と、
請求項２に記載の表示制御装置とを備え、
前記処理受付部に前記ページ画面データについてプリント処理を行う旨の指示が受け付けられた場合に、前記ウェブブラウザ機能部が前記表示部にウェブページを表示させるために一時的に記憶させている当該ウェブページのページ画面データを、前記制御部が前記記憶部に記憶させる画像形成装置である。
【００１４】
この発明によれば、処理受付部に上記ページ画面データについてデータ保存処理を行う旨の指示が受け付けられると、制御部が、上記ページ画面データを画像形成装置に設けられている記憶部に記憶させるので、ユーザは、簡単な操作で、表示中のウェブページのページ画面データについてのデータ保存処理を、画像形成装置に実行させることができる。
【００１５】
また、請求項５に記載の発明は、ユーザによって指定された送信先にデータを送信するデータ送信部と、
前記データ送信部の動作制御を司る制御部と、
請求項２に記載の表示制御装置とを備え、
前記処理受付部に前記ページ画面データについてプリント処理を行う旨の指示が受け付けられた場合に、前記ウェブブラウザ機能部が前記表示部にウェブページを表示させるために一時的に記憶させている当該ウェブページのページ画面データを、前記制御部が、前記データ送信部に、前記指定された送信先に送信させる画像形成装置である。
【００１６】
この発明によれば、処理受付部に上記ページ画面データについてデータ送信処理を行う旨の指示が受け付けられると、制御部が、上記ページ画面データについてのデータ送信を、画像形成装置に設けられているデータ送信部に行わせるので、ユーザは、簡単な操作で、表示中のウェブページのページ画面についてのデータ送信処理を、画像形成装置に実行させることができる。
【発明の効果】
【００１７】
本発明によれば、画像形成装置等の表示部にウェブページが表示されているときに、ユーザに面倒な操作を要求することなく、当該表示部に逐次表示される各ウェブページのページ画面データに対して行う各処理の指示を入力可能とすることができる。
【発明を実施するための最良の形態】
【００１８】
以下、本発明に係る表示制御装置を備える画像形成装置の実施形態を説明する。図１は、本発明に係る表示制御装置を備える画像形成装置の一実施形態である複合機の構成を示す側面概略図である。
【００１９】
複合機１は、本体部２００と、本体部２００の用紙搬出側、例えば左側に配設された用紙後処理部３００と、ユーザ操作者が種々の操作指令等を入力するための操作部４００と、本体部２００の上部に配設された原稿読み取り部と、原稿読み取り部５００の上部に配設された原稿給送部６００とから構成される。
【００２０】
操作部４００は、ＬＣＤ（Liquid Crystal Display）等からなる表示部４１０と、ユーザから操作指示が入力される操作キー部４３０を備える。操作キー部４３０は、スタートキー及びテンキー等を備える。
【００２１】
原稿給送部６００は、原稿載置部６０１、給紙ローラ６０２、原稿搬送部６０３及び原稿排出部６０４を備え、原稿読み取り部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００２２】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００２３】
感光体ドラム２０４は、矢印方向に回転しながら帯電装置（図示省略）によって一様に帯電される。露光装置２０６は、原稿読み取り部５００において読み取られた原稿の画像データに応じて変調されたレーザ光を感光体ドラム２０４上に走査し、ドラム表面に静電潜像を形成する。現像装置２０７は、黒色の現像剤を感光体ドラム２０４に供給してトナー画像を形成する。
【００２４】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００２５】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００２６】
図２は、複合機１の制御ブロック図である。複合機１は、スキャナ部１１、画像処理部２１、記録部３１、操作部４００、制御ユニット５０、ネットワークインタフェイス（インターフェース）部７１、及びＨＤＤ（ハードディスクドライブ）７４を備える。
【００２７】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００２８】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、記録部３１へ出力する。補正部２２は、読み取られた画像データに対してレベル補正、γ補正等の所定の補正処理を行う。画像加工部２３は、画像データの圧縮又は伸張処理、及び拡大又は縮小処理等の種々の加工処理を行う。
【００２９】
記録部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。記録部３１は、スキャナ部１１により読み取られた原稿データを用いて画像を記録紙に印刷する。具体的には、用紙搬送部３２は記録紙を画像形成部３３へ搬送し、画像形成部３３は上記の画像データに対応するトナー像を形成し、転写部３４はトナー像を記録紙に転写し、定着部３５はトナー像を記録紙に定着させて画像を形成する。
【００３０】
ネットワークインタフェイス部７１は、ネットワークインタフェイス等を用い、イーサネット（登録商標）等によりＬＡＮ（Local Area Network）を介して、外部装置との間での種々のデータの送受信を制御すると共に、インターネットへの接続を行う。ＨＤＤ７４は、スキャナ部１１によって読み取られた画像データ及び当該画像データに設定されている出力形式等を記憶する。
【００３１】
操作部４００は、図１に示す表示部４１０、操作キー部４３０を備える。表示部４１０は、タッチパネルとＬＣＤとを組み合わせたタッチパネルユニット等から構成される。表示部４１０は、種々の操作画面を表示すると共に、ユーザが表示面（表示されている操作キー部）をタッチすることで種々の機能の実行指令を入力することが可能である。操作キー部４３０は、上述のようにスタートキー、テンキー等を有する。
【００３２】
制御ユニット５０は、制御部５２と、表示画像データ記憶部５３とを備える。
【００３３】
制御部５２は、メインコントローラユニット５２１と、表示制御ユニット５２２とを備える。メインコントローラユニット５２１は、複合機１の動作制御を司る。表示制御ユニット５２２は、ユーザに対する複合機１の操作案内情報及びウェブページ等を表示部４１０に表示させるための表示制御を行う。表示画像データ記憶部５３は、表示部４１０に表示させる各種の画像データを記憶している。表示画像データ記憶部５３に記憶されている当該各種画像データは、ユーザに対する複合機１の各操作案内情報の表示等を示す画像からなるものである。
【００３４】
図３は複合機１の制御ユニット５０の構成を抽出して示す図である。制御ユニット５０は、上述したように、メインコントローラユニット５２１と、表示制御ユニット５２２とを備える。当該メインコントローラユニット５２１は、例えばＣＰＵからなり、表示制御ユニット５２２は例えばＡＳＩＣ（Application Specific Integrated Circuit）からなり、これらを構成する各ボードは、例えばＵＳＢ（Universal Serial Bus）で接続される。
【００３５】
メインコントローラユニット５２１は、動作制御部５２１１と、プロキシサーバ５２１３とを備える。
【００３６】
動作制御部５２１１は、複合機１の各部（スキャナ部１１，画像処理部２１、記録部３１等）の動作制御を司る。
【００３７】
プロキシサーバ５２１３は、ウェブブラウザ機能部５２２１とインターネット網の間に介在してインターネットとの接続を行なう。プロキシサーバ５２１３は、イーサネット等を介してインターネットに接続する。
【００３８】
表示制御ユニット５２２は、ウェブブラウザ機能部５２２１と、パネルアプリケーション５２２２とを備える。
【００３９】
ウェブブラウザ機能部５２２１は、表示部４１０にインターネット上のウェブページを表示させるために必要な処理等を実行する。
【００４０】
パネルアプリケーション５２２２は、複合機１の各操作案内等を表示部４１０に表示させるために必要な処理を実行する。パネルアプリケーション５２２２は、複合機１の各操作案内に対応する画像データを、上記表示画像データ記憶部５３から読み出して、表示部４１０に表示させる。
【００４１】
また、ウェブブラウザ機能部５２２１は、ウェブ表示制御部５２２３と、案内指示受付画像表示制御部５２２４と、案内指示受付部５２２５と、処理受付画像表示制御部５２２６と、処理受付部５２２７とを有している。
【００４２】
ウェブ表示制御部５２２３は、表示部４１０にウェブページを表示させるために必要な処理を行う。
【００４３】
案内指示受付画像表示制御部５２２４は、表示部４１０に、案内指示受付画像を表示させる。この案内指示受付画像は、表示部４１０に表示されているウェブページのページ画面データに対して実行可能な予め定められた複数処理を案内させる指示をタッチパネル機能によりユーザから受け付けるための画像である。
【００４４】
また、ページ画面データとは、ウェブページ自体を示すデータであり、(1)ウェブページを構成する全ての画像からなるHTMLデータ形式のデータ、(2)ウェブページを単一のファイルとしたアーカイブ形式（拡張子*.mht）のデータ、(3)ウェブページをテキストデータに変換したテキストファイルのデータ、等が採用可能であり、本実施形態では、ページ画面データを、(1)ウェブページを構成する全ての画像からなるHTMLデータ形式のデータとして説明する。
【００４５】
案内指示受付部５２２５は、ユーザによる上記案内指示受付画像に基づく操作により、表示部４１０に表示中のウェブデータについて実行可能な上記複数処理を案内させる案内指示を受け付ける。
【００４６】
処理受付画像表示制御部５２２６は、案内指示受付部５２２５に上記案内指示が受け付けられたときに、処理受付画像を表示部４１０に表示させる。処理受付画像は、上記複数処理として、ページ画面データについてプリント、データ保存又はデータ送信が実行可能であることを案内すると共に、当該ページ画面データについてプリント、データ保存又はデータ送信のいずれの処理を行うかをタッチパネル機能によりユーザから受け付けるために表示される画像である。
【００４７】
処理受付部５２２７は、ユーザによる上記処理受付画像に基づく操作に基づいて、上記ページ画面データについて、プリント、データ保存又はデータ送信のいずれの処理を行うかを選択する指示を受け付ける。なお、プリントとは、記録部３１による記録紙への記録をいう。データ保存とは、ＨＤＤ７４等にデータを記憶させて保存することをいう。データ送信とは、ネットワークインタフェイス部７１により、ユーザによる操作部４００の操作で指定された送信先又は予め定められている送信先にＬＡＮ又はインターネットによりデータを送信することをいう。
【００４８】
本発明の一実施形態に係る表示制御装置は、例えば、制御ユニット５０及び表示部４１０を備えてなる。
【００４９】
なお、上記には、制御部５２が、ＣＰＵからなるメインコントローラユニット５２１と、ＡＳＩＣからなる表示制御ユニット５２２とで構成されている例を示したが、これに限られず、例えば、ＨＤＤ７４に本発明の一実施形態に係る表示制御プログラムが記憶されており、ＣＰＵ等からなる制御部５２が、当該表示制御プログラムに従って動作することで、上記ウェブブラウザ機能部５２２１として機能してもよいし、これに加えて更に、制御部５２が、パネルアプリケーション５２２２、動作制御部５２１１及びプロキシサーバ５２１３としても機能するものであってもよい。
【００５０】
次に、複合機１における表示部４１０の表示制御の第１実施形態を説明する。図４は複合機１における表示部４１０の表示制御の実施形態を示すフローチャートである。図５は初期操作画面の例を示す図である。図６はウェブページ表示画面の例を示す図である。図７は処理受付画像の表示例を示す図である。
【００５１】
ユーザが、複合機１の使用開始時に当該複合機１の主電源をＯＮにすると（Ｓ１でＹＥＳ）、パネルアプリケーション５２２２は、表示画像データ記憶部５３から、初期操作画面に対応する画像データを読み出して、図５に示すような初期画面４１０１を表示部４１０に表示させる（Ｓ２）。このとき、操作部４００は、ユーザから各種動作実行指示（コピー動作実行指示やウェブページ表示指示等）が受付可能な状態となる（Ｓ３，Ｓ１０）。この初期画面４１０１は、図５に示すように、例えばコピー動作時の各種設定を受け付けるキー１０１乃至１０４等が表示されると共に、ウェブブラウザを起動させるウェブブラウザ起動指示（ウェブブラウザの起動により予め設定されているウェブページを表示部４１０に表示させる指示）をユーザから受け付けるブラウザキー１０５が表示される。当該初期画面４１０１及び以下に示す各画面に表示されるキーは、タッチパネル機能によりユーザからの指示の入力がウェブブラウザ機能部５２２１や動作制御部５２１１等に受け付けられる。
【００５２】
ここで、ユーザによる操作部４００の操作で、ウェブページ表示指示以外のいずれかの動作実行指示、例えば、コピー動作実行指示が入力され、当該指示が操作部４００に受け付けられた場合（Ｓ３でＮＯ，Ｓ１０でＹＥＳ）、動作制御部５２１１は、指示された動作、例えばコピー動作を実行する（Ｓ１１）。なお、操作部４００がユーザからいずれの動作実行指示も受け付けない場合は（Ｓ１０でＮＯ）、処理はＳ２に戻り、パネルアプリケーション５２２２が初期画面４１０１を表示部４１０に表示させ、操作部４００がユーザからの各種動作実行指示の入力を待機する状態が継続する。
【００５３】
一方、ユーザにより、初期画面４１０１において、ブラウザキー１０５が押下され、タッチパネル機能によりウェブ表示制御部５２２３にウェブページ表示指示が受け付けられた場合は（Ｓ３でＹＥＳ）、ウェブ表示制御部５２２３は、プロキシサーバ５２１３を介して、ウェブブラウザ表示時の第１ページとして予め設定されているウェブページのウェブサイトにアクセスし、当該ウェブサイトから、第１ページとなるウェブページの画像データを取得して、例えば図６に示すようなウェブページ表示画面４１０３を表示部４１０に表示する（Ｓ４）。すなわち、ウェブ表示制御部５２２３は、パネルアプリケーション５２２２によって表示部４１０に表示されている初期画面４１０１を、上記ウェブページ表示画面４１０３に切り換える。
【００５４】
このとき、案内指示受付画像表示制御部５２２４は、当該表示部４１０の表示画面であって、表示対象とするウェブページの範囲外に、案内指示受付画像Ｂ５を表示させる。なお、図６には、案内指示受付画像表示制御部５２２４は、ウェブページ表示画面４１０３におけるウェブページ表示部分を外れた当該ウェブページ表示部分の側方に案内指示受付画像Ｂ５を表示させているが、案内指示受付画像Ｂ５の表示位置は当該位置に限られず、ウェブページ表示部分を外れた別の位置でも構わないし、また、当該ウェブページ表示部分に重ねて表示するようにしてもよい。
【００５５】
また、ウェブ表示制御部５２２３は、ウェブページ表示画面４１０３に、スクロールバーＢ１及び画面クローズボタンＢ２等を表示させる。スクロールバーＢ１及び画面クローズボタンＢ２等は、タッチパネル機能を利用してユーザがウェブページのスクロール指示、ウェブページを閉じる指示等を入力する操作を容易にするため、ユーザが指で触れやすい程度の大きさに設定されている。
【００５６】
なお、図４には図示していないが、ウェブ表示制御部５２２３が、ウェブページ表示画面４１０３を表示部４１０に表示させているときに、ユーザにより画面クローズボタンＢ２が押下され、タッチパネル機能により画面クローズ指示がウェブ表示制御部５２２３に受け付けられると、ウェブ表示制御部５２２３は当該ウェブページ表示画面４１０３の表示を中止し、パネルアプリケーション５２２２による上記初期操作画面４１０１の表示処理（Ｓ２）に移行する。
【００５７】
上記のように、ウェブ表示制御部５２２３が、ウェブページ表示画面４１０３を表示部４１０に表示させているときに、案内指示受付画像Ｂ５が押下されると、タッチパネル機能により案内指示受付部５２２５に、上記処理受付画像を表示させる案内指示が受け付けられる（Ｓ５）。
【００５８】
ここで、ユーザの操作により案内指示受付画像Ｂ５が押下され、案内指示受付部５２２５に、上記案内指示が受け付けられると（Ｓ５でＹＥＳ）、処理受付画像表示制御部５２２６は、例えば図７に示すような処理受付画像Ｂ６を、表示中のウェブページ表示画面４１０３上に重ねて、又は当該ウェブページ表示画面４１０３に代えて、表示部４１０に表示させる（Ｓ６）。
【００５９】
当該処理受付画像Ｂ６は、プリント指示受付用画像Ｂ６１、データ保存指示受付用画像Ｂ６２、データ送信指示受付用画像Ｂ６３、及び画面クローズボタンＢ６４を有している。
【００６０】
プリント指示受付用画像Ｂ６１は、上記ページ画面データについてプリントを行う指示をタッチパネル機能によりユーザから受け付けるための画像である。データ保存指示受付用画像Ｂ６２は、上記ページ画面データをＨＤＤ７４又は図略のメモリに記憶させて保存する指示をタッチパネル機能によりユーザから受け付けるための画像である。
【００６１】
データ送信指示受付用画像Ｂ６３は、上記ページ画面データを、ネットワークインタフェイス部７１（データ送信部）により、ユーザによる操作部４００の操作で指定された送信先（ＬＡＮ又はインターネットにより接続されたパーソナルコンピュータ等）、或いは制御部５２又はネットワークインタフェイス部７１に記憶されている予め定められた上記送信先に送信させる指示をタッチパネル機能によりユーザから受け付けるための画像である。なお、当該送信先の指定は、以下のようにして行われる。例えば、ユーザが操作部４００に操作キー部４３０の１つとして設けられている図略のキーボード表示キーを押下すると、ウェブブラウザ機能部５２２１が表示部４１０に、ユーザからタッチパネル機能により文字及び記号の入力を受け付けるキーボード画面を表示させる。当該キーボード画面に表示される各文字又は記号キーが押下されることに伴って、タッチパネル機能により、当該押下されたキーに対応する文字又は記号をウェブブラウザ機能部５２２１が複数受け付けることによって行われる。制御部５２は、ウェブブラウザ機能部５２２１から、当該入力された文字記号群が示すIPアドレスやE-Mailアドレスを受け取り、当該IPアドレスが示すＬＡＮ内のパーソナルコンピュータや、E-Mailアドレスが示す送信先に対して、上記ページ画面データをネットワークインタフェイス部７１により送信させる。
【００６２】
上記のように処理受付画像表示制御部５２２６が処理受付画像Ｂ６を表示部４１０に表示させているとき（Ｓ６）、処理受付部５２２７は、ユーザによりプリント指示受付用画像Ｂ６１、データ保存指示受付用画像Ｂ６２、又はデータ送信指示受付用画像Ｂ６３のいずれかが押下されることでプリント指示、データ保存指示又はデータ送信指示のいずれかが入力されたかを判断する（Ｓ７）。
【００６３】
処理受付部５２２７が上記いずれかの処理の指示の入力を受け付けた場合（Ｓ７でＹＥＳ）、処理受付部５２２７は、ユーザによりプリント指示受付用画像Ｂ６１、データ保存指示受付用画像Ｂ６２、又はデータ送信指示受付用画像Ｂ６３のいずれが押下されたかに基づいて、当該押下により受け付けられた指示の内容が、プリント指示、データ保存指示又はデータ送信指示のいずれかであるかを判別する（Ｓ８）。
【００６４】
そして、処理受付部５２２７によって、受け付けた指示の内容がプリント指示であると判別された場合は（Ｓ８で「プリント」）、ウェブブラウザ機能部５２２１が、表示部４１０に表示させるために図略のメモリに一時的に記憶させている表示中のウェブページのページ画面データに基づいた記録（プリント）を、制御部５２が記録部３１に行わせる（Ｓ１２）。
【００６５】
また、処理受付部５２２７によって、受け付けた指示の内容がデータ保存指示であると判別された場合は（Ｓ８で「データ保存」）、上記ウェブブラウザ機能部５２２１が図略のメモリに一時的に記憶させている表示中のウェブページのページ画面データを、制御部５２が、ＨＤＤ（記憶部）７４又は図略のメモリ等に記憶させて保存する（Ｓ９）。
【００６６】
また、処理受付部５２２７によって、受け付けた指示の内容がデータ送信指示であると判別された場合は（Ｓ８で「データ送信」）、上記ウェブブラウザ機能部５２２１が図略のメモリに一時的に記憶させている表示中のウェブページのページ画面データを、制御部５２が、ネットワークインタフェイス部７１に、ユーザにより指定された送信先に対して送信させる（Ｓ１３）。
【００６７】
なお、図４には図示していないが、Ｓ１２、Ｓ９、Ｓ１３の処理後は、処理はＳ４の処理に戻る。すなわち、ウェブ表示制御部５２２３は、それまで表示していたウェブページのウェブページ表示画面４１０３を表示部４１０に表示させる。また、既に上述したが、ウェブ表示制御部５２２３が、ウェブページ表示画面４１０３の表示中にユーザにより画面クローズボタンＢ２が押下で画面クローズ指示を受け付けると、パネルアプリケーション５２２２による上記初期操作画面４１０１の表示処理に移行する。
【００６８】
なお、本発明は上記実施の形態の構成に限られず種々の変形が可能である。例えば、上記第１又は第２実施形態では、ウェブブラウザ機能部５２２１が、案内指示受付画像Ｂ５の表示処理、データ案内指示受付処理、処理受付画像Ｂ６の表示処理、プリント、データ保存又はデータ送信の各処理の受付処理等を行うとして説明しているが、これらの処理を行うのは、所謂ウェブブラウザと呼ばれるアプリケーションに限られず、上記各処理を実行可能なアプリケーション又は回路であればよい。すなわち、本実施形態においては、ウェブブラウザ機能部５２２１は、上記各処理を実行可能なアプリケーション又は回路を包含する概念である。
【００６９】
また、上記実施形態では、本発明に係る表示制御装置、画像形成装置、及び表示制御プログラムの実施形態を、図１乃至図７に示しているが、これらは本発明の一例に過ぎず、本発明の構成又は処理等をこれらに限定する趣旨ではない。
【図面の簡単な説明】
【００７０】
【図１】本発明に係る表示制御装置を備える画像形成装置の一実施形態である複合機の構成を示す側面概略図である。
【図２】複合機の制御ブロック図である。
【図３】複合機の制御ユニットの構成を抽出して示す図である。
【図４】複合機における表示部の表示制御の第１実施形態を示すフローチャートである。
【図５】初期操作画面の例を示す図である。
【図６】ウェブページ表示画面の例を示す図である。
【図７】処理受付画像の表示例を示す図である。
【符号の説明】
【００７１】
１          複合機
３１        記録部
４１０      表示部
４１０３    ウェブページ表示画面
５０        制御ユニット
５２        制御部
５２１１    動作制御部
５２１３    プロキシサーバ
５２２      表示制御ユニット
５２２１    ウェブブラウザ機能部
５２２２    パネルアプリケーション
５２２３    ウェブ表示制御部
５２２４    案内指示受付画像表示制御部
５２２５    案内指示受付部
５２２６    処理受付画像表示制御部
５２２７    処理受付部
５３        表示画像データ記憶部
７１        ネットワークインタフェイス部
７４        ＨＤＤ
Ｂ５        案内指示受付画像
Ｂ６        処理受付画像
Ｂ６１      プリント指示受付用画像
Ｂ６２      データ保存指示受付用画像
Ｂ６３      データ送信指示受付用画像
【図１】
2010128994.tif 000003
【図２】
2010128994.tif 000004
【図３】
2010128994.tif 000005
【図４】
2010128994.tif 000006
【図５】
2010128994.tif 000007
【図６】
2010128994.tif 000008
【図７】
2010128994.tif 000009